(57)【要約】【課題】  携帯電話のボタンにより直接に入力することができると共に、携帯電話にある台座から制御パネルを取外して制御パネルにより入力し又はマウスとして使用することができる。【解決手段】  スクリーンには台座が連結してあり、前記台座にはピンが設けてあり、前記ピンには係止用凸部が設けてあり、前記台座に対応して制御パネルが設けてあり、前記制御パネルの底面には台座にあるピンに対応する貫通孔が設けてあり、且つ前記貫通孔には台座のピンに設けた係止用凸部に対応する係止用凹部が設けてあり、前記制御パネルの底面には信号源も設けてあることを特徴とする携帯電話用制御パネルの構造。【選択図】図１
0003109907.tif 000002
【実用新案登録請求の範囲】
【請求項１】
スクリーンには台座が連結してあり、
前記台座にはピンが設けてあり、
前記ピンには係止用凸部が設けてあり、
前記台座に対応して制御パネルが設けてあり、
前記制御パネルの底面には台座にあるピンに対応する貫通孔が設けてあり、且つ前記貫通孔には台座のピンに設けた係止用凸部に対応する係止用凹部が設けてあり、
前記制御パネルの底面には信号源も設けてあることを特徴とする、
携帯電話用制御パネルの構造。
【請求項２】
前記台座には弾性を持つ係止用突起が別に設けてあり、
前記制御パネルの底面には前記係止用突起と互いに係止し定位する係止用孔が設けてあることを特徴とする、請求項１に記載の携帯電話用制御パネルの構造。
【考案の詳細な説明】
【技術分野】
【０００１】
本考案は携帯電話用制御パネルの構造に係り、特に携帯電話にある制御パネルがスクリーンから脱着可能な構造を有し、制御パネルがワイヤレスで携帯電話を操作でき、且つ制御パネルの底面には摺動時にマウス機能が発生する信号源が別に設けてあることにより、使用の便利性が向上する携帯電話用制御パネルの構造に関するものである。
【背景技術】
【０００２】
科学技術の進展に伴って、通信技術も盛んに発展し、特に携帯電話の研究開発は目覚しい。携帯電話を電信電話会社の無線発信ベースの発信範囲内で使用すれば、室内で室内電話を使用し室外では公衆電話を使用する必要なく、他人と通信することが可能になるため、使用の便利性が極めて高い。したがって、携帯電話は国民に愛用され、一人で一つ以上の携帯電話を持つことも珍しくない。
【０００３】
携帯電話は汎用性の高い通信装置であるため、携帯電話の制御方式の開発も日進月歩になり、例えば、上下左右の方向ボタンを利用して制御し又はタッチパネルなどにより携帯電話を制御することにより、使用者は携帯電話の強い機能に対応して旨く利用できる。
【考案の開示】
【考案が解決しようとする課題】
【０００４】
しかしながら、上記の各種類の携帯電話の制御方式により使用者は携帯電話の機能に対応して利用できるが、携帯電話がより多機能になる現在では、目下の制御方式が携帯電話の新しい機能に十分に対応できなくなり、更に携帯電話はインターネットと接続する機能を持つので、方向ボタン又はタッチパネルを単に使用すれば、操作が不便になり、携帯電話の機能の開発にも悪影響を与える。
【課題を解決するための手段】
【０００５】
上記欠点を解決するためになされた本願の第１の考案は、スクリーンには台座が連結してあり、前記台座にはピンが設けてあり、前記ピンには係止用凸部が設けてあり、前記台座に対応して制御パネルが設けてあり、前記制御パネルの底面には台座にあるピンに対応する貫通孔が設けてあり、且つ前記貫通孔には台座のピンに設けた係止用凸部に対応する係止用凹部が設けてあり、前記制御パネルの底面には信号源も設けてあることを特徴とする携帯電話用制御パネルの構造であることを要旨としている。
【０００６】
本願の第２の考案は、前記台座には弾性を持つ係止用突起が別に設けてあり、前記制御パネルの底面には前記係止用突起と互いに係止し定位する係止用孔が設けてあることを特徴とする第１の考案の携帯電話用制御パネルの構造であることを要旨としている。
【考案の効果】
【０００７】
本考案に係る携帯電話用制御パネルの構造によれば、携帯電話のボタンにより直接に入力することができると共に、携帯電話にある台座から制御パネルを取外して制御パネルにより入力し又はマウスとして使用することもできるため、使用の便利性が向上する。
【考案を実施するための最良の形態】
【０００８】
以下、添付図面を参照して本考案の好適な実施の形態を詳細に説明する。
【０００９】
まず、図１を参照する。本考案に係る携帯電話用制御パネルの構造は、スクリーン１には台座２が連結してあり、前記台座２にはピン２１が設けてあり、前記ピン２１には係止用凸部２１１が設けてあり、前記台座２に対応して制御パネル３が設けてあり、前記制御パネル３の底面には台座２にあるピン２１に対応する貫通孔３１が設けてあり、且つ前記貫通孔３１には台座２のピン２１に設けた係止用凸部２１１に対応する係止用凹部３１１が設けてあり、また、前記台座２には弾性を持つ係止用突起２２が別に設けてあり、前記制御パネル３の底面には前記係止用突起２２と互いに係止し定位する係止用孔３２が設けてあり、且つ前記制御パネル３の底面には信号源３３も設けてある。
【００１０】
本考案に係る携帯電話に制御パネル３を組合するときには、図２に示すように、台座２にあるピン２１と係止用凸部２１１とに制御パネル３の底面にある貫通孔３１と係止用凹部３１１とを嵌めて結合し、また、制御パネル３をある角度に旋回することにより係止用凸部２１１を係止用凹部３１１から離れ、且つ制御パネル３にある係止用孔３２に台座２にある係止用突起２２を係止し、これにより、前記制御パネル３が台座２に安定で強固に定位される。
【００１１】
使用者が本考案に係る携帯電話を使用しようとするときには、図３と図４に示すように、制御パネル３を台座２である角度に旋回することにより、台座２にある係止用突起２２を制御パネル３にある係止用孔３２から離脱し、且つ台座にある係止用凸部２１１を制御パネル３にある係止用凹部３１１に位置合わせると、制御パネル３が台座２から取り外すことができ、スクリーン１を安定に放置した後、制御パネル３により操作し又は入力することができ、なお、制御パネル３の信号はワイヤレス方式によってスクリーン１に伝送してスクリーン１で表示し、且つ制御パネル３の底面には信号源３３が別に設けてあるので、制御パネル３を摺動するときに、制御パネル３がマウスとしてスクリーン１に表示するカーソルを制御することができ、だから、本考案に係る携帯電話の使用の便利性が向上する。
【図面の簡単な説明】
【００１２】
【図１】本考案の分解斜視図である。
【図２】本考案の組合状態を示す断面図である。
【図３】本考案の使用状態を示す概略図である。
【図４】本考案の使用状態を示す斜視図である。
【符号の説明】
【００１３】
１        スクリーン                ２        台座
２１      ピン                      ２１１    係止用凸部
２２      係止用端部                ３        制御パネル
３１      貫通孔                    ３１１    係止用凹部
３２      係止用孔                  ３３      信号源
【図１】
0003109907.tif 000003
【図２】
0003109907.tif 000004
【図３】
0003109907.tif 000005
【図４】
0003109907.tif 000006